(57)【要約】【課題】ノズルシュート等の特殊な形状の移送路を遊技媒体貸出機に設けることなく、遊技媒体貸出機から遊技機の受け皿に遊技媒体を移送すること、遊技機の筐体に取り付けられた前扉（前面部材）を開閉する際に遊技媒体貸出機の移送路が邪魔になる等の不具合を防止すること、遊技媒体貸出機や遊技機が配置された遊技店内の美観を向上すること、等。【解決手段】遊技媒体貸出機８が設置されている遊技島に配置されている遊技機１であって、筐体２と、筐体２に開閉自在に取り付けられた前扉（前面部材）３と、前扉３の前面側に形成され、遊技媒体９０１を貯留する受け皿６ａとを有し、受け皿６ａは、受け皿全体が前扉３に対して、遊技媒体貸出機８側に向かって摺動自在に備えられ、遊技媒体貸出機８側に変位した状態で、遊技媒体貸出機８から払出された遊技媒体９０１を受容可能に形成されている。【選択図】図７
2007268070.tif 000002
【特許請求の範囲】
【請求項１】
遊技媒体貸出機が設置されている遊技島に配置される遊技機であって、
筐体と、
前記筐体に開閉自在に取り付けられた前面部材と、
前記前面部材の前面側に形成され、遊技媒体を貯留する受け皿とを有し、
前記受け皿は、該受け皿全体が前記前面部材に対して、前記遊技媒体貸出機側に向かって摺動自在に備えられ、当該遊技媒体貸出機から払出された遊技媒体を受容可能に形成されていることを特徴とする遊技機。
【請求項２】
前記受け皿に形成された係合部と、前記前面部材に形成された被係合部とが係合した状態で摺動方向に沿って摺動する摺動部を有することを特徴とする請求項１に記載の遊技機。
【請求項３】
前記受け皿は、該受け皿全体が前記前面部材に対して前記遊技媒体貸出機側に向かって摺動して、前記遊技媒体貸出機の払出口の直下近傍に位置することを特徴とする請求項１または請求項２に記載の遊技機。
【請求項４】
前記受け皿が、前記前面部材の左右端部から突出しない第１の状態と、該受け皿全体が前記前面部材に対して前記遊技媒体貸出機側に向かって摺動して、前記遊技媒体貸出機の払出口の直下近傍に位置する第２の状態とを有することを特徴とする請求項１から請求項３のいずれかに記載の遊技機。
【請求項５】
前記受け皿に予め規定された力以上の力が摺動方向に沿って加わった場合に、前記第１の状態から第２の状態、又は前記第２の状態から第１の状態に変位させる半固定機構を有することを特徴とする請求項４に記載の遊技機。
【請求項６】
前記前面部材は、前面部に遊技媒体の払出口を備え、
前記受け皿は、前記第２の状態で、前記前面部材に形成された払出口から払出された遊技媒体、および、前記隣接して配置される遊技媒体貸出機から払出された遊技媒体を受容可能に形成されていることを特徴とする請求項４または請求項５に記載の遊技機。
【請求項７】
遊技媒体貸出機が設置されている遊技島に配置される遊技機の受け皿であって、
前記遊技機の筐体に開閉自在に取り付けられた前面部材の前面側に、前記前面部材の左右端部から突出しない形状に形成され、
当該受け皿全体が前記前面部材に対して、前記遊技媒体貸出機側に向かって摺動自在に備えられ、当該遊技媒体貸出機から払出された遊技媒体を受容可能に形成されていることを特徴とする遊技機の受け皿。
【請求項８】
前記受け皿に形成された係合部と、前記前面部材に形成された被係合部とが係合した状態で摺動方向に沿って摺動する摺動部を有することを特徴とする請求項７に記載の遊技機の受け皿。
【請求項９】
前記受け皿は、該受け皿全体が前記前面部材に対して前記遊技媒体貸出機側に向かって摺動して、前記遊技媒体貸出機の払出口の直下近傍に位置することを特徴とする請求項７に記載の遊技機の受け皿。
【発明の詳細な説明】
【技術分野】
【０００１】
本発明は、例えば遊技媒体貸出機が設置されている遊技島に配置される遊技機であって、遊技媒体貸出機から払出された遊技媒体を貯留する受け皿を備える遊技機、および受け皿に関する。
【背景技術】
【０００２】
遊技店には、パチンコやスロットマシンのような、パチンコ球やメダルを遊技媒体とした遊技機が配置されている。例えばメダル等の遊技媒体の貸出を行う遊技媒体貸出機は、有価価値を備えるカードや紙幣等を受けると、その有価価値に応じた個数の遊技媒体を、その遊技媒体貸出機の払出口から払い出し、遊技媒体貸出機に設けられた受け皿にて受け止めて貯留する。そして遊技者は手により、その遊技媒体を遊技媒体貸出機から、遊技機に設けられた受け皿等に移送していた。
【０００３】
しかし、上記方法では遊技者が遊技媒体を移送中に誤って落下させる虞がある。また一般的に遊技店内の限られた設置スペースに遊技機を並べて配置するので、遊技機の設置台数を増やすために、遊技機間に配置される遊技媒体貸出機の本体部の左右幅を比較的小さく形成している。このため遊技媒体貸出機の受け皿が比較的小さく形成され、遊技者が移送動作を複数回実施することとなり、非常に煩わしいという問題がある。また移送を行うとき、遊技者が遊技機により遊技を行わないことが多く、遊技機の稼働率が低下するという問題がある。
【０００４】
そこで近年では、遊技媒体貸出機の払出口にノズルを設け、そのノズルを介して隣接する遊技機側に遊技媒体を移送させる技術が開示されている（例えば、特許文献１，２参照）。
【０００５】
図１５は、従来の遊技機７０と、これに隣接して配置される従来のノズルを備える遊技媒体貸出機５０を説明するための図である。図１５に示すように、例えばメダルを遊技媒体とする遊技媒体貸出機５０は、その上部に、有価価値を有するカードや貨幣等を投入する投入口５２と、投入金額やエラー等を表示する表示部５３が設けられている。また遊技媒体貸出機５０は、中間部に、遊技媒体貸出機５０内のメダルが不足した場合に、遊技媒体貸出機５０内のメダルホッパー（図示せず）にメダルを補給するために開閉される鍵穴５４付きの扉５５が設けられている。また遊技媒体貸出機５０は、下部に、ノズルシュート５６０がそのノズル５６２を下向状態にして設けられ、メダルホッパーから送り出された遊技媒体をノズル５６２の先端部５６２ｂから、遊技機７０の受け皿６ｊに払出すように構成されている。遊技機７０では、このメダルが、正面中央部付近に設けられたメダル投入部７１に投入されると、遊技が始められる状態になる。
【０００６】
【特許文献１】特開２００５−２９６４４８号公報
【特許文献２】特開２００２−１７７６１８号公報
【発明の開示】
【発明が解決しようとする課題】
【０００７】
しかし、上記ノズルシュート５６０を備える遊技媒体貸出機５０では、例えば一度に大量の遊技媒体を払い出すときに、ノズルシュート５６０内で遊技媒体が詰まり、遊技媒体貸出機５０から遊技機７０に遊技媒体を迅速に移送できない場合がある。
【０００８】
また上記遊技媒体貸出機５０では、例えば図１５に示すような形状のノズルシュート５６０が形成されているので、遊技店内の美観が損なわれる虞がある。
【０００９】
また例えば遊技機７０に設けられたメダルホッパーにメダル（遊技媒体）を補給する場合、遊技機７０のメンテナンスを行う場合、遊技機７０の前扉（前面部材）を開閉する場合、遊技機７０を設置する場合、等では、遊技媒体貸出機５０のノズルシュート５６０が邪魔になる場合がある。
【００１０】
本発明は、上記問題に対処することを課題の一例とするものである。すなわち、ノズルシュート等の特殊な形状の移送路を遊技媒体貸出機に設けることなく、遊技媒体貸出機から遊技機の受け皿に遊技媒体を移送すること、遊技機の筐体に取り付けられた前扉（前面部材）を開閉する際に遊技媒体貸出機の移送路が邪魔になる等の不具合を防止すること、遊技媒体貸出機や遊技機が配置された遊技店内の美観を向上すること、等が本発明の目的である。
【課題を解決するための手段】
【００１１】
このような目的を達成するために、請求項１に記載の発明は、遊技媒体貸出機に隣接して配置された遊技機であって、筐体と、前記筐体に開閉自在に取り付けられた前面部材と、前記前面部材の前面側に形成され、遊技媒体を貯留する受け皿とを有し、前記受け皿は、該受け皿全体が前記前面部材に対して、前記遊技媒体貸出機側に向かって摺動自在に備えられ、当該遊技媒体貸出機から払出された遊技媒体を受容可能に形成されていることを特徴とする。
【００１２】
請求項６に記載の発明は、遊技媒体貸出機に隣接して配置された遊技機の受け皿であって、前記遊技機の筐体に開閉自在に取り付けられた前面部材の前面側に、前記前面部材の左右端部から突出しない形状に形成され、当該受け皿全体が前記前面部材に対して、前記遊技媒体貸出機側に向かって摺動自在に備えられ、当該遊技媒体貸出機から払出された遊技媒体を受容可能に形成されていることを特徴とする。
【００１３】
好適には、前記受け皿に形成された係合部と、前記前面部材に形成された被係合部とが係合した状態で摺動方向に沿って摺動する摺動部を有することを特徴とする。
【００１４】
また好適には、前記受け皿は、該受け皿全体が前記前面部材に対して前記遊技媒体貸出機側に向かって摺動して、前記遊技媒体貸出機の払出口の直下近傍に位置することを特徴とする。
【００１５】
また好適には、前記受け皿が、前記前面部材の左右端部から突出しない第１の状態と、該受け皿全体が前記前面部材に対して前記遊技媒体貸出機側に向かって摺動して、前記遊技媒体貸出機の払出口の直下近傍に位置する第２の状態とを有することを特徴とする。
【００１６】
また好適には、前記受け皿に予め規定された力以上の力が摺動方向に沿って加わった場合に、前記第１の状態から第２の状態、又は前記第２の状態から第１の状態に変位させる半固定機構を有することを特徴とする。
【００１７】
また好適には、前記前面部材は前面部に遊技媒体の払出口を備え、前記受け皿は、前記第２の状態で、前記前面部材に形成された払出口から払出された遊技媒体、および、前記隣接して配置される遊技媒体貸出機から払出された遊技媒体を受容可能に形成されている。
【００１８】
上記構成とすることで、受け皿全体が前記前面部材の左右端部から突出しない第１の状態のとき、例えば予め規定された力以上の力が摺動方向に沿って遊技媒体貸出機側に向かって加わると、受け皿全体が、遊技媒体貸出機側に向かって摺動して、前記遊技媒体貸出機の払出口の直下近傍に位置する（第２の状態）。受け皿は、第２の状態では、前面部材に形成された遊技媒体の払出口から払出された遊技媒体、および、隣接して配置される遊技媒体貸出機から払出された遊技媒体を受容することができる。
【発明の効果】
【００１９】
本発明に係る遊技機によれば、受け皿全体が遊技媒体貸出機側に向かって摺動自在に備えられ、受け皿全体が遊技媒体貸出機側に向かって摺動したときに（第２の状態）、遊技媒体貸出機の払出口の直下近傍に位置し、遊技媒体貸出機から払出された遊技媒体を受容するので、ノズルシュート等の特殊な形状の移送路を遊技媒体貸出機に設けることなく、簡単な構成により、遊技媒体貸出機から遊技機の受け皿に遊技媒体を移送することができる。
【００２０】
また、通常時（第１の状態）では、受け皿全体が前記前面部材の左右端部から突出しないので、遊技機筐体の前面扉を開閉する場合であっても、従来のように、遊技媒体貸出機の移送路が邪魔になる等の不具合を防止することができる。また、遊技媒体貸出機や遊技機の美観を向上させることができる。
【発明を実施するための最良の形態】
【００２１】
以下、本発明に係る遊技機の好適な一実施形態として、プリペイドカードに記録された度数（遊技価値や有価価値に相当する）に基づいて、遊技に使用されるメダル（遊技媒体）を貸し出す遊技媒体貸出機が設置されている遊技島に設置されるスロットマシンを例に説明する。遊技媒体貸出機はこの形態に限られるものではなく、例えば紙幣や硬貨等により遊技媒体を貸出してもよい。
【００２２】
図１は、本発明の一実施形態に係る遊技機及び遊技媒体貸出機が配置された遊技島１００１を説明するための図である。図２は、本発明の一実施形態に係る遊技機及び遊技媒体貸出機を説明するための正面図である。図３は、図２に示した遊技機の内部構造を説明するための図である。図４は、図２に示した遊技機及び遊技媒体貸出機を有する遊技システムのブロック図である。本実施形態に係る遊技システム１０００は、図１〜図４に示すように、スロットマシン１、および遊技媒体貸出機８を有する。スロットマシン１は本発明に係る遊技機の一実施形態に相当し、遊技媒体貸出機８は本発明に係る遊技媒体貸出機の一実施形態に相当する。
【００２３】
遊技島１００１には、例えば図１に示すように、複数台のスロットマシン１が背合わせで横方向に連設され、遊技媒体貸出機８がスロットマシン１とスロットマシン１の間に設置されている。つまり、スロットマシン１は、遊技媒体貸出機８に隣接する位置に配置されている。スロットマシン１と遊技媒体貸出機８は、例えば遊技島１００１の端に設けられた島管理装置（図示せず）等に通信可能に接続されていて、動作状況や各種営業情報信号（売上げデータやトラブルコード等）を送受信することができる。また各スロットマシン１の上部には呼出ランプ１００２が備えられており、スロットマシン１や遊技媒体貸出機８の動作状況に応じて、呼出ランプ１００２が点灯や点滅を行うようになっている。
【００２４】
本実施形態に係る遊技システム１０００では、図２に示すように、スロットマシン１の受け皿６ａ全体が遊技媒体貸出機８側に向かって摺動自在（スライド自在）に形成されている。後述するようにスロットマシン１の受け皿６ａが摺動して、遊技媒体貸出機８の払出口８６０の直下近傍に位置した状態で、遊技媒体貸出機８の払出口８６０から払出された遊技媒体がその受け皿６ａに移送される。スロットマシン１の受け皿６ａはその遊技媒体を貯留する。以下、遊技媒体貸出機８及びスロットマシン１について図面を参照しながら説明する。
【００２５】
［遊技媒体貸出機８］
遊技媒体貸出機８は、図２に示すように、前面部の上部に、有価価値処理部８００が形成され、その前面側には装置上部前面扉を開閉するため鍵穴８０１と、有価価値を有するカードや紙幣等を投入する投入口８０２と、投入金額やエラー等を表示する表示部８０３と、メダル貸出スイッチ８４１およびカード返却スイッチ８４２等の操作スイッチとが設けられている。また遊技媒体貸出機８は、中間部に、遊技媒体貸出機８内のメダルが不足した場合に、遊技媒体貸出機８内のメダルホッパー（図示せず）にメダルを補給するために開閉される鍵穴８０４付きの扉８０５が設けられている。また遊技媒体貸出機８は、下部に、払出口８６０が設けられ、装置内部に設けられたメダルホッパーから送り出されたメダル（遊技媒体）を払出口８６０から払出す。遊技媒体貸出機８の詳細については後述する。
【００２６】
［スロットマシン１］
本実施形態に係るスロットマシン１は、図２，図３に示すように、遊技者に面する側にいわゆるフロントマスク（フロント部材）３０１が形成された前扉（前面部材）３が、略矩形状の箱体である筐体２の開口に対し、開閉機構、例えばヒンジ部２ａにより開閉可能に取り付けられている。詳細には筐体２の左側又は右側の端部（本実施形態では第１図に向かって前面左側端部）にスライドヒンジ等からなるヒンジ部２ａが形成されており、そのヒンジ部２ａを基準に前扉３が開閉揺動自在に取り付けられている。前扉３の前面側は、上部パネル部４と下部パネル部５に概略区分され、これらは視覚的効果を高めてデザインされた、いわゆる化粧板として、硬化プラスチック等により一体的に形成されている。更に、下部パネル部５の下部には、入賞時に払い出されるメダルを貯留するための受け皿６ａと灰皿６ｂ等が一体的に形成された受皿ユニット６が設けられている。本実施形態では、この受皿ユニット６全体が摺動自在に形成されている。また灰皿６ｂの下側にはホルダ６４０が形成されている。受皿ユニット６の詳細については後述する。
【００２７】
また、上部パネル部４と下部パネル部５との間には、ゲーム操作を行うためのスイッチ類が配置されている操作卓７が形成されている。なお、上部パネル部４、下部パネル部５、受皿ユニット６、および操作卓７は、遊技者側に面し、これらによって「前面パネル部」が構成されている。
【００２８】
操作卓７の上方の上部パネル部４中央には、略長方形に大きく開口する開口部４１が形成されている。その開口部４１を塞ぐように、液晶パネルユニット１１が前扉３の裏面側から取り付けられている。液晶パネルユニット１１の前面部分は、フルカラーの画像を表示可能とする液晶表示パネル部１３となっており、当該液晶表示パネル部１３の中央に、略透明で略長方形の領域である非表示領域（表示窓）１２が形成されている。すなわち、液晶表示パネル部１３に、略透明であって映像を表示しない領域である非表示領域１２を通して筐体２内に設けられているリールユニット１００の３個のリール１０１ａ，１０１ｂ，１０１ｃが目視され、更に非表示領域１２の周辺にゲームの演出等の映像を表示可能な液晶表示領域１０が形成されている。
【００２９】
上部パネル部４の周縁部分には、高輝度発光ダイオード等のランプ類を内蔵する演出用照明部４３ａ，４３ｂ，４３ｃが配置されている。また、スピーカを内蔵し、ゲームに係る効果音を発生させる演出用放音部４４ａ，４４ｂが上部パネル部４の左右にそれぞれ配置されている。更に、演出用放音部４４ａ，４４ｂの間には、液晶表示ユニット４５が配置されている。なお、液晶表示ユニット４５は、ゲームの演出に係る映像を主に表示する。
【００３０】
操作卓７の上面右側には、メダルを投入するための投入口を有するメダル投入部７１が設けられている。また操作卓７の上面の左側には、押しボタンスイッチである２個のベットボタン７２，７３が設けられている。なお、ベットボタン７２，７３はスロットマシンの１ゲームに賭けるメダルの枚数を提示するためのボタンスイッチである。ゲームを開始する際に、ベットボタン７２が１回押圧操作されることで、内部貯留されているメダルから１枚のメダルがゲームに対して賭けられ、そこから再度押圧操作されることで更にもう１枚のメダルが賭けられる（３枚まで）。
【００３１】
ベットボタン７３は１回の押圧操作により、３枚のメダルが賭けられる。特に、ベットボタン７３は、最大枚数のメダルを当該ゲームに賭けることから「マックスベットボタン」と呼ばれている。
【００３２】
操作卓７の前面には、リール１０１ａ，１０１ｂ，１０１ｃの回転開始を指示するためのスタートレバー７４が設けられている。スタートレバー７４は、先端に球形の操作ノブを有する上下左右方向に揺動可能な操作桿を備え、操作桿が傾倒操作されるとオン、操作桿から手が離されるとスプリングの付勢力によって、自動的に元の位置に戻ってオフ状態となるスイッチユニットで形成されている。
【００３３】
また、操作卓７の中央には、各リール１０１ａ，１０１ｂ，１０１ｃの回転停止をそれぞれ指示するためのストップボタン７５ａ，７５ｂ，７５ｃが各リールの配列に対応して並設されている。
【００３４】
下部パネル部５には、スロットマシンのモデルタイプを遊技者へ認識させる等のために、登場キャラクターの絵などを表示するパネル５１が設けられている。下部パネル部５の下側に配置された受皿ユニット６には、入賞時にメダルを排出する払出口６１と、払い出されたメダルを貯める受け皿６ａと、灰皿６ｂと、スピーカを内蔵し演出効果音を発生させる演出用放音部６２ａ等がそれぞれ配置されている。
【００３５】
次に図３を参照して、スロットマシン１の内部構造を説明する。なお、図３は、前扉３が筐体２から開いた状態でのスロットマシン１の内部構造を表している。図３において、筐体２内の上部には、スロットマシン１の全体動作を集中制御する制御回路（ＣＰＵ：Central processing unit）を備え、硬質プラスチックのケースに収納された主制御基板２０が取り付けられている。
【００３６】
筐体２内の中央には、リール１０１ａ，１０１ｂ，１０１ｃを備えるリールユニット１００が設けられている。リールユニット１００は、前扉３が筐体２側に閉じ込められると液晶パネルユニット１１に形成された非表示領域（表示窓）１２に、リール１０１ａ，１０１ｂ，１０１ｃが対向するように、筐体２内の所定の高さに固定されたフレーム２１に位置決めされて取り付けられている。なお、各リール１０１ａ，１０１ｂ，１０１ｃは、それぞれに内蔵されたステッピングモータによって回転駆動される。
【００３７】
また、リールユニット１００の上部には、各リールを回転駆動するステッピングモータへ４相の駆動パルス信号を送出する回胴装置基板１０４が取付けられており、主制御基板２０が回胴装置基板に回胴駆動（励磁）パルスデータを送出することで、各リール１０１ａ，１０１ｂ，１０１ｃの回転と制御及び停止の制御を行っている。
【００３８】
リールユニット１００の下方には、メダル投入部７１から投入されたメダルを貯留し、入賞の配当の際に排出口２２ａからメダルを排出するホッパ装置（メダルホッパー）２２と、ホッパ装置２２から溢れたメダルを収容するための補助貯留部２３と、スロットマシン１に内蔵される各機器へ電力を配電する主電源装置２４が設けられている。更に、筐体２の上部右側の内壁に、遊技媒体貸出機８、および遊技場に設置されている「ホールコンピュータ」と呼ばれる管理用コンピュータと接続される外部集中端子基板２５が取付けられている。
【００３９】
前扉３の裏面側上部には、上述の演出用放音部４４ａ，４４ｂに対向してスピーカ３１ａ，３１ｂが取り付けられている。またスピーカ３１ａ，３１ｂの間に液晶表示ユニット４５が取付けられ、液晶表示ユニット４５の裏面側に、当該液晶表示ユニット４５等を制御駆動するサブ制御基板３０が取り付けれている。すなわちスロットマシン１全体の動作は、筐体２側に設けられている主制御基板２０によって統括制御されており、サブ制御基板３０は、液晶表示ユニット４５による演出映像の表示制御、演出用照明部４３ａ，４３ｂ，４３ｃ等を使った照明制御、及び演出用放音部４４ａ，４４ｂ，６２ａ，６２ｂを使った演出効果音制御など、ゲームの演出に係る制御を主に行う。
【００４０】
サブ制御基板３０の下方には、前面にリール１０１ａ，１０１ｂ，１０１ｃを目視させるための透明な非表示領域１２と、非表示領域１２の周辺に形成された液晶表示領域１０とを有する液晶パネルユニット１１が着脱可能に取付けられている。また、液晶パネルユニット１１の裏面側には、リール１０１ａ，１０１ｂ，１０１ｃの外周面を照射して、図柄を明るく表示させるための冷陰極蛍光ランプ１５ａおよび冷陰極蛍光ランプ１５ａを駆動するインバータ１５ｂを有するリール照明部１５と、スタートレバー７４及びストップボタン７５ａ，７５ｂ，７５ｃ等の操作スイッチ類の出力信号を主制御基板２０へ転送する中継基板として機能する中央表示基板１８とを備え、これらがユニット化されて形成されている。
【００４１】
液晶パネルの１１の下方には、メダル選別装置３２が取付けられている。メダル選別装置３２は、メダル投入部７１に投入されたメダルの適否を判別し振り分ける装置である。又、メダル選別装置３２は、メダルセンサ３２１を内蔵しており、ゲームの待機状態等において正規のメダルが投入され、メダルセンサがこのメダルを検出することによって、メダル投入の受け付けを示すメダル検出信号を主制御基板２０へ送出する。
【００４２】
メダル選別装置３２の下方には、メダル選別装置３２によって振り分けられた正規のメダルを筐体２内に設けられているホッパ装置２２へ案内するガイド部材３３と、メダル選別装置３２により排除されたメダル（または異物）を払出口６１へ案内するガイド部材３４が設けられている。また前扉３の裏面側下部には、ホッパ装置２２の排出口２２ａから排出されたメダルを払出口６１へ案内するガイド部材３５が設けられている。更に、払出口６１に隣接して、上述した演出用放音部６２ａ，６２ｂに対向するスピーカ３６ａ等が取付けられている。
【００４３】
次に、スロットマシン１及び貸出機を有する遊技システムの動作を、図４を参照しながら簡単に説明する。
【００４４】
図４に示すように、スロットマシン１の主制御基板２０には、サブ制御基板３０と、回胴装置基板１０４と、電源装置基板１５０と、中央表示基板１８と、外部集中端子基板２５とが配線ケーブルでそれぞれ接続されている。主制御基板２０は、ＣＰＵのほかにＲＯＭ（Read only memory）、ＲＡＭ（Random access memory）などの半導体メモリからなる記憶部が備えられ、ここに予め記憶されている本発明に係る遊技機を制御するプログラムに基づいて、制御回路（ＣＰＵ）が演算処理を実行することで、スロットマシン１全体の動作を統括的に制御している。
【００４５】
主制御基板２０には、中央表示基板１８を介してベットボタン７２，７３と、スタートレバー７４と、ストップボタン７５ａ，７５ｂ，７５ｃと、操作スイッチ類、及びメダル選別装置３２のメダルセンサ３２１等の検出スイッチ類が配線ケーブルで接続され、これらのスイッチ類からの出力信号が供給される。
【００４６】
主制御基板２０のクレジット管理手段２０１は、ゲームが待機状態において、メダルセンサ３２１からのメダル検出信号を受信すると、「クレジット」と呼ばれる、内部に貯留するメダルの数を示す記憶データを、検出されたメダルの枚分だけ加算する。ベットボタン７２，７３が操作され、所定数のメダルがゲームに賭けられた場合、その枚数分が減算される。なお、クレジット管理手段２０１は、クレジットとして、内部貯留するメダルの数の上限を例えば５０枚としており、これを超えるような数のメダルの投入があった場合、メダル選別装置３２を制御して投入されたメダルを払出口６１から返却させ、またクレジットの上限を超える入賞配当、貸し出し操作があった場合には、ホッパ装置２２を駆動して、超過枚数分のメダルを、払出口６１から排出させている。
【００４７】
また、主制御基板２０の内部抽選手段２０２は、ゲームの開始状態でスタートレバー７４の操作が検出されると、乱数発生装置２０２ａを作動して乱数値を取得し、取得した乱数値を役抽選テーブル２０２ｂと照合して当該ゲームの入賞役を抽選する。すなわち、役抽選テーブル２０２ｂには、乱数発生装置２０２ａが発生する乱数値（０〜６５５３５）のそれぞれに対応して、入賞役の種類（特別役、子役、リプレイ等）またはハズレを示す図柄の組み合わせ情報および配当枚数等が記憶されており、主制御基板２０の内部抽選手段２０２は、取得した乱数値に基づいて入賞役またはハズレが決定され内部抽選フラグ２０２ｃに抽選結果を記憶させる。
【００４８】
また、主制御基板２０のリール回転制御手段２０３は、ゲームの開始状態でスタートレバー７４の操作が検出されると、回胴装置基板１０４に回胴駆動パルスデータを送出し、各リール１０１ａ，１０１ｂ，１０１ｃを一定の回転速度で回転させる制御を行う。また、主制御基板２０のリール回転制御手段２０３は、ストップボタン７５ａ，７５ｂ，７５ｃの押圧操作に応じて、対応するリールの回転を停止させる制御を行う。
【００４９】
なお、リール回転制御手段２０３は、各リール１０１ａ，１０１ｂ，１０１ｃに設けられている基準位置センサ１０３ａ，１０３ｂ，１０３ｃの検出信号を入力し、各リールの基準となる回転位置を把握しながら、回胴装置基板１０４に所定の回胴駆動パルスデータを送出し、回胴装置基板１０４がこの回胴装置パルスデータに従って各ステッピングモータ１０２ａ，１０２ｂ，１０２ｃを回転駆動することで、各リール１０１ａ，１０１ｂ，１０１ｃの回転及び停止の動作を正確に行っている。
【００５０】
また、主制御基板２０の入賞判定手段２０４は、停止した全てのリールが有効なライン上に表示する図柄の組み合わせを調べ、何れか一つの図柄の組み合わせが、内部抽選フラグ２０２ｃに記憶された当該ゲームにおける入賞役に対応する図柄の組み合わせと一致すれば、クレジット管理手段２０１と連携し、当該確定した入賞役による配当数分だけクレジットを加算させる。
【００５１】
また、主制御基板２０のメダル払出制御手段２０５は、クレジット管理手段２０１と連携し、クレジットとして内部貯留可能な上限を超えるメダルの入賞配当等があった場合、電源装置基板１５０を介して、メダル払出手段であるホッパ装置２２を制御して、クレジットの上限枚を超える枚数分のメダルを払い出させる。
【００５２】
また、主制御基板２０の演出制御手段２０６は、ゲームの進行に応じて適宜の場面でサブ制御基板３０へ制御信号を送出し、サブ制御基板３０がこの制御信号に基づいて、演出用照明部４３ａ，４３ｂ，４３ｃ、演出用放音部４４ａ，４４ｂ，６２ａ，６２ｂ、液晶表示ユニット４５、及び液晶パネルユニット１１の液晶表示領域１０を制御駆動することで、遊技者の視覚や聴覚に働きかける演出を行っている。
【００５３】
スロットマシン１の外部集中端子基板２５には、通信インタフェース（ＩＦ）部２５ａが設けられている。通信ＩＦ部２５ａは、遊技媒体貸出機８との通信制御、及び遊技媒体貸出機と取り交わす信号の切り替え制御を主に実行する。
【００５４】
遊技媒体貸出機８側に搭載されている制御装置８２は、ＣＰＵ、ＲＯＭ、およびＲＡＭ等の半導体メモリを有するコンピュータから形成され、遊技媒体貸出機に装填されたプリペイドカード等の記録内容の読み出し、および書き換えを行うカードＲＷ（リーダライタ）装置８３の動作制御と、スロットマシン１の通信ＩＦ部２５ａとの間の通信制御を主に実行する。
【００５５】
次に、上記構成のスロットマシン１の動作を簡単に説明する。
上記構造のスロットマシン１は、先のゲームにおいて入賞し、メダルの払い出しが完了した時、または先のゲームにおいてハズレが確定しすると待機状態となる。この待機状態において、遊技者がメダル投入部７１よりメダルを投入すると、そのメダルが当該ゲームに賭けられ、最大可能賭数を超えた投入メダルはクレジットに加算され、内部貯留される。
【００５６】
メダルが賭けられておらず、かつクレジットにメダルが内部貯留されている状態で遊技者がベットボタン７２を押圧操作することで、クレジットされたメダルの一部が当該ゲームに賭けられゲームが開始する。そして、遊技者がスタートレバー７４を傾倒操作すると、全てのリール１０１ａ，１０１ｂ，１０１ｃが一斉に回転し、これと同時に入賞役が内部的な処理で乱数抽選される。
【００５７】
次に、遊技者がストップボタン７５ａ，７５ｂ，７５ｃを任意の順番で押圧操作すると、それに従い順次対応するリールが停止し、全てのリール１０１ａ，１０１ｂ、１０１ｃが停止した後、各リール表示された図柄の組み合わせとが一致しているか否かが確定し、その入賞役の種類に応じた枚数のメダルがクレジットに加算され配当される。入賞の配当によりクレジットの上限を超える場合には、その超過した枚数分のメダルがメダル排出口より受け皿６ａへ払い出される。
【００５８】
このように、スロットマシン１の遊技者は、リール１０１ａ，１０１ｂ，１０１ｃを回転、及び停止させる遊技操作を行って、非表示領域（表示窓）１２に変動表示した図柄が揃わなければ、賭けたメダルを失うが、予め定められた組み合わせで、技量と運とによりメダルを増やすという興趣を伴った勝敗ゲームを楽しむことができる。
【００５９】
［スロットマシン１の受け皿６ａ］
次に、本発明の特徴的部分である、スロットマシン１の受け皿６ａについて詳細に説明する。図５は、図２に示したスロットマシン１の受け皿６ａが遊技媒体貸出機８側に摺動した状態を説明するための正面図である。
【００６０】
図２，図５に示すように、受皿ユニット６は、受け皿６ａと、その受け皿６ａの左側部に形成された灰皿６ｂとを有する。この受皿ユニット６は、前扉３、詳細には前扉３の前面に形成されたフロント部材３０１の前面下部に形成されている。
【００６１】
この受け皿６ａは、図２，図５に示すように、受け皿６ａ全体が外側に向かって摺動自在に形成されている。詳細には、受け皿６ａは左右方向ｄｘに沿って遊技媒体貸出機８側に向かって摺動自在に備えられ、遊技媒体貸出機８側に変位した状態で、遊技媒体貸出機８の払出口８６０から払出された遊技媒体９０１を受容可能に形成されている。以下、図面を参照しながら、摺動自在に形成された受け皿６ａを説明する。
【００６２】
図６は図２に示したスロットマシン１および遊技媒体貸出機８の斜視図であり、受け皿６ａの基準状態（第１の状態）を説明するための図である。図７は図２に示したスロットマシン１および遊技媒体貸出機８の斜視図であり、受け皿６ａが遊技媒体貸出機８側に摺動した第２の状態を説明するための図である。
【００６３】
図８は図６および図７に示した受け皿６ａの上面図であり、図８（ａ）は受け皿６ａの基準状態（第１の状態）を説明するための図であり、図８（ｂ）は受け皿６ａが遊技媒体貸出機８側に摺動した第２の状態を説明するための図である。
【００６４】
図９は図８（ａ）に示した受け皿６ａのａ−ａ線に沿った断面図である。図１０は図８，図９に示した受け皿６ａ及び前扉３のフロント部材３０１に形成されたスライド機構を説明するための正面図である。
【００６５】
受け皿６ａは、例えば図２，図５〜図１０に示すように、払出口６１から払出されたコイン（遊技媒体）を貯留可能に断面凹形状に形成されている。受け皿６ａは、例えばスロットマシン１の筐体２又は前扉３の左右幅と略同じ幅程度に形成され、スロットマシン１の筐体２又は前扉３の左右端部（左右幅）から突出しないように、筐体２又は前扉３に摺動自在に固定されている。
【００６６】
また本実施形態に係る受皿ユニット６は、受け皿６ａに形成された係合部６０１Ａと、前扉（前面部材）に形成された係合孔部（被係合部）３Ａとが係合した状態で摺動方向に沿って摺動する摺動部を有する。詳細には、受け皿６ａは、例えば図９，図１０に示すように、凸形状の係合部６０１Ａ（本発明に係る係合部の一実施形態に相当する）を備え、その係合部６０１Ａが、前扉３のフロント部材３０１に形成された摺動方向に沿って長孔形状の係合孔部３Ａ（本発明に係る被係合部の一実施形態に相当する）に嵌合して、中間部材３０２を介して、ネジ等の固定部材３６１により前扉３に摺動可能に形成されている。詳細には、受け皿６ａは図６〜図８，図１０に示すように左右方向ｄｘに沿って変位可能に形成されている。
【００６７】
また上述したように受け皿６ａは、摺動方向、詳細には筐体２や前扉３の左右方向に沿って変位することにより、基準状態（第１の状態）、および変位状態（第２の状態）に設定可能である。
【００６８】
基準状態（第１の状態）とは、図２，図６，図８（ａ）に示すように、受け皿６ａが筐体２又は前扉３の左右端部（左右幅）から突出していない状態である。
【００６９】
変位状態（第２の状態）とは、図５，図７，図８（ｂ）に示すように、受け皿６ａが摺動方向ｄｘに沿って遊技媒体貸出機８側に変位して、筐体２や前扉３から突出し、遊技媒体貸出機の払出口の直下近傍に位置した状態である。この受け皿６ａの変位状態（第２の状態）では、遊技媒体貸出機８から払出されたメダル（遊技媒体）を受容することができ、更に前扉３の前面部に形成された払出口６１から払出される遊技媒体９０１を受容可能に形成されていることが好ましい。
【００７０】
また受け皿６ａ及び灰皿６ｂを備える受皿ユニット６が、遊技媒体貸出機８側に変位したときに形成される空間には、例えば遊技島の吸い殻回収装置が臨むように形成することが好ましい。この構成により容易に吸殻回収装置により吸い殻を回収することができる。また図５，図８（ｂ）に示すように、受け皿６ａ及び灰皿６ｂを備える受皿ユニット６が、遊技媒体貸出機８側に変位したときに形成される空間に、ホルダ６４０を形成してもよい。例えばこのホルダ６４０を別体の灰皿を着脱可能に形成してもよいし、またホルダ６４０を飲料缶等を着脱可能に形成してドリンクホルダ等に利用するようにしてもよい。
【００７１】
また、上述した受け皿６ａでは、例えば図９，図１０に示すように、受け皿６ａと前扉３のフロント部材３０１とが摺動面にて接触した状態で摺動可能に形成されているので、予め規定された力以上の力が受け皿６ａに加わると、例えば第１の状態から第２の状態、又は第２の状態から第１の状態に変位させることができる。また、予め規定された力より小さい力が加わっても容易に受け皿６ａが変位することがないので、受け皿６ａの意図しない変位を防止することができる。またネジ等の固定部材３６１による固定の度合いを調整することにより、上記予め規定された力や、受け皿６ａの変位に要する力の度合い等を調整することができる。
【００７２】
また、受け皿６ａの意図しない変位を確実に防止するために、例えば図１１（ａ）〜（ｃ）に示すように、受け皿６ａ及び前扉３のフロント部材３０１に、規定された力以上の力が加わった場合に、第１の状態から第２の状態、又は第２の状態から第１の状態に変位させる半固定機構６７０を設けてもよい。
【００７３】
この半固定機構６７０は、例えば図１１（ａ）〜（ｃ）に示すように、可動部６７１が板状バネなどの付勢手段６７２を介して固定部６７３により前扉３のフロント部材３０１に固定されている。受け皿６ａには、凹部６０２１，６０２２が形成されている。
【００７４】
上記構成の受け皿６ａでは、第２の状態では、例えば図１１（ａ）に示すように、可動部６７１が凹部６０２１に係止している。この際、受け皿６ａに左右方向ｄｘに沿って遊技媒体貸出機８と反対側に向かって、規定された力以上の外力が加わった場合には、図１１（ｂ）に示すように、前扉３ａに対して受け皿６ａが摺動する。そして更に受け皿６ａが変位すると、図１１（ｃ）に示すように、可動部６７１が受け皿６ａの凹部６０２２に係合して第１の状態となる。
【００７５】
逆に、図１１（ｃ）に示すように、受け皿６ａが第１の状態で、受け皿６ａに左右方向ｄｘに沿って遊技媒体貸出機８側に向かって、規定された力以上の外力が加わった場合には、図１１（ｂ）に示すように、前扉３のフロント部材３０１に対して受け皿６ａが摺動する。そして更に受け皿６ａが変位すると、図１１（ａ）に示すように、可動部６７１が受け皿６ａの凹部６０２１に係合して、第１の状態となる。
【００７６】
上記半固定機構６７０を設けることで、前扉３に対する受け皿６ａの意図しない変位を確実に防止することができる。半固定機構６７０は、上記形態に限られるものではない。
【００７７】
以上説明したように、本実施形態に係るスロットマシン１は、遊技媒体貸出機８が設置されている遊技島１００１に配置されており、詳細には遊技媒体貸出機８に隣接して配置されており、筐体２と、筐体２に開閉自在に取り付けられた前扉（前面部材）３と、前面部材の前面側に形成され、遊技媒体９０１を貯留する受け皿６ａとを有し、受け皿６ａは、受け皿全体が前扉３に対して、遊技媒体貸出機８側に向かって摺動自在に備えられ、当該遊技媒体貸出機８から払出された遊技媒体９０１を受容可能に形成されている。詳細には上記受け皿６ａは、基準状態（第１の状態）では、例えば図２，図６，図８（ａ）に示すように、受け皿６ａ全体が前扉（前面扉）３の左右端部（左右幅）から突出しない第１の状態のとき、スロットマシン１のメンテナンス時、輸送時、設置時、等に受け皿６ａが邪魔になることがない。また、スロットマシン１の筐体２に取り付けられた前扉（前面部材）３を開閉する際に、遊技媒体貸出機の移送路が邪魔になる等の不具合を防止することができる。また、遊技媒体貸出機８やスロットマシン（遊技機）１の美観が向上する。
【００７８】
また、受け皿６ａに、予め規定された力以上の力が摺動方向に沿って遊技媒体貸出機８側に向かって加わると、受け皿６ａ全体が、遊技媒体貸出機８側に向かって摺動して、遊技媒体貸出機８の払出口８６０の直下近傍に位置し、隣接して配置される遊技媒体貸出機８から払出された遊技媒体９０１を受容可能に形成したので、例えばノズルシュート等の特殊な形状の移送路を遊技媒体貸出機に設けることなく、遊技媒体貸出機８から遊技機１の受け皿６ａに遊技媒体９０１を確実に移送することができる。
【００７９】
また、上記実施形態に係る受け皿６ａは、第２の状態に、前扉３の前面部に形成された払出口６１から払出された遊技媒体９０１、および、遊技媒体貸出機８の払出口８６０から払出された遊技媒体９０１を受容可能に形成されているので、遊技者にとって、スロットマシン１にて遊技を行いながら遊技媒体貸出機８から払出された遊技媒体９０１を受け皿６ａにて受けることができ、遊技機の稼働率の低下を防止することができる。
【００８０】
また、本発明に係るスロットマシン１の受皿ユニット６は、スロットマシン自身に制御的に払い出す形態のスロットマシンの受け皿と共通化を図ることができる。
【００８１】
次に、本発明に係るスロットマシン１に隣接して配置される遊技媒体貸出機の好適な一具体例を説明する。上記実施形態では、スロットマシン１に隣接して設置された遊技媒体貸出機８は、図２に示すように、払出口８６０に受け皿が形成されていないが、図１２〜図１４に示すような、可動式受け皿を設けてもよい。図１２は、スロットマシン１に隣接して配置される遊技媒体貸出機８を説明するための側断面図であり、可動受け皿８６５が収容した状態を示す。図１３は、遊技媒体貸出機を説明するための側断面図であり、可動受け皿８６５が開いた状態を示す図である。図１４は、図１２，図１３に示した遊技媒体貸出機８の可動式受け皿８６５の斜視図である。
【００８２】
本具体例に係る遊技媒体貸出機８は、図１２に示すように、遊技媒体貸出機８内の中間部にホッパ装置（メダルホッパー）８２２が配置されている。このホッパ装置８２２の上部前面側には、メダル（遊技媒体）９０１を補強する際に開閉される鍵穴８０４付きの扉８０５が形成されている。また、例えば遊技媒体貸出機８の背面側にメダル補給部８２２ａを設け、外部メダル補給装置（不図示）等からメダル補給部８２２ａを介してホッパ装置８２２にメダル９０１を補給してもよい。
【００８３】
ホッパ装置８２２に貯留されたメダル９０１は、ホッパ装置８２２の下部に設けられた払出機構８２２ｂにより、ホッパ装置払出口８２２ｃから払出される。また、ホッパ装置８２２の前面側には、ホッパ装置払出口８２２ｃから、遊技媒体貸出機８の払出口８６０へと連通するメダル案内路８１０が形成されている。ホッパ装置８２２から出力されたメダル９０１は、自重により落下しメダル案内路８１０を介して払出口８６０から払出される。
【００８４】
またホッパ装置８２２の払出口８６０には、図１２〜図１４に示すように、可動式受け皿８６５が配置されている。
【００８５】
第１の状態では、この可動式受け皿８６５は、図１２に示すように、遊技媒体貸出機８のホッパ装置８２２から払出された遊技媒体９０１を受け入れる形態となっている。
【００８６】
第２の状態では、可動式受け皿８６５は、図１３に示すように、遊技媒体貸出機８のホッパ装置８２２から払出された遊技媒体９０１を、遊技媒体貸出機８の払出口８６０の前方の直下近傍に配置された、スロットマシン１の受け皿６ａに誘導する形態となる。詳細には、可動式受け皿８６５は、図１３，図１４に示すように、傾斜面部８６５ａに、ホッパ装置８２２から払出された遊技媒体９０１が衝突、反射して、遊技媒体貸出機８の前方に向かって出力されるように、傾斜面部８６５ａが形成されている。また遊技媒体９０１が周囲に飛び散らないように、傾斜面部８６５ａの端部には、案内リブ８６５ｂが形成されている。この案内リブ８６５ｂは、第１の状態では図１２に示すように、取り付け回転軸８６５ｃに負担がかからないように、脚部を兼ねている。
【００８７】
上記構成の遊技媒体貸出機８を、上記実施形態に係るスロットマシン１に隣接して配置させる。この際、スロットマシン１の受け皿６ａが、図２，図６，図８（ａ）に示すように、基準状態（第１の状態）のときには、遊技媒体貸出機８の可動式受け皿８６５は、図１２に示すように、遊技媒体貸出機８のホッパ装置８２２から払出された遊技媒体９０１を受け入れる形態となっている。
【００８８】
一方、スロットマシン１の受け皿６ａが、図５，図７，図８（ｂ）に示すように、受け皿６ａが遊技媒体貸出機８側に変位した第２の状態のときには、遊技媒体貸出機８の可動式受け皿８６５は、取り付け回転軸８６５ｃを中心に回転させて、図２２に示すように、遊技媒体貸出機８のホッパ装置８２２から遊技媒体貸出機８の払出口８６０の前方の直下近傍に配置された、スロットマシン１の受け皿６ａに誘導するように収容する。
【００８９】
上述したようにスロットマシン１に隣接して、上記可動式受け皿８６５を備えた遊技媒体貸出機８を配置すると、第１の状態では、遊技媒体貸出機８の可動式受け皿８６５に払出された遊技媒体９０１を手動により、スロットマシン１に移送することができ、第２の状態では、遊技媒体貸出機８から直接、スロットマシン１の受け皿６ａに遊技媒体９０１を払出すことができる。このため遊技者は、遊技媒体９０１の払出しに関して、第１及び第２の状態を選択することができ、ユーザビリティが向上する。
【００９０】
なお、本発明は上述した実施形態に限られるものではない。上述した実施形態や具体例を組み合わせてもよい。
【００９１】
上述した実施形態では遊技機としてスロットマシンを説明したが、この形態に限られるものではない。本発明に係る遊技機、遊技媒体貸出機、遊技システムを、遊技球（パチンコ）を遊技媒体とする遊技機、例えばパチンコ、雀球遊技装置等に適用してもよい。
【図面の簡単な説明】
【００９２】
【図１】本発明の実施形態に係る遊技機及び遊技媒体貸出機が配置された遊技島１００１を説明するための図である。
【図２】本発明の一実施形態に係る遊技機及び遊技媒体貸出機を説明するための正面図である。
【図３】図２に示した遊技機の内部構造を説明するための図である。
【図４】図２に示した遊技機及び遊技媒体貸出機を有する遊技システムのブロック図である。
【図５】図２に示したスロットマシン１の受け皿６ａが遊技媒体貸出機８側に摺動した状態を説明するための正面図である。
【図６】図２に示したスロットマシン１および遊技媒体貸出機８の斜視図であり、受け皿６ａの基準状態（第１の状態）を説明するための図である。
【図７】図２に示したスロットマシン１および遊技媒体貸出機８の斜視図であり、受け皿６ａが遊技媒体貸出機８側に摺動した第２の状態を説明するための図である。
【図８】図６および図７に示した受け皿６ａの上面図であり、（ａ）は受け皿６ａの基準状態（第１の状態）を説明するための図であり、（ｂ）は受け皿６ａが遊技媒体貸出機８側に摺動した第２の状態を説明するための図である。
【図９】図８（ａ）に示した受け皿６ａのａ−ａ線に沿った断面図である。
【図１０】図８，図９に示した受け皿６ａ及び前扉３のフロント部材３０１に形成されたスライド機構を説明するための正面図である。
【図１１】半固定機構６７０を備える受け皿ユニットを説明するための図である。
【図１２】スロットマシンに隣接して配置される遊技媒体貸出機を説明するための側断面図であり、可動受け皿８６５が収容した状態を示す。
【図１３】スロットマシンに隣接して配置される遊技媒体貸出機を説明するための側断面図であり、可動受け皿８６５が開いた状態を示す図である。
【図１４】図１２，図１３に示した遊技媒体貸出機の可動式受け皿８６５の斜視図である。
【図１５】従来の遊技機７０とこの遊技機７０に隣接して配置される従来のノズルを備える遊技媒体貸出機５０を説明するための図である。
【符号の説明】
【００９３】
１  遊技機（スロットマシン）
２  筐体
３  前扉（前面部材）
４  上部パネル部
５  下部パネル部
６  受皿ユニット
６ａ  受け皿
７  操作卓
８  遊技媒体貸出機
１０  液晶表示領域
１１  液晶パネルユニット
１２  非表示領域
１３  液晶表示パネル部
１５  リール照明部
１５ａ  冷陰極蛍光ランプ
１５ｂ  インバータ
１８  中央表示基板
２０  主制御基板
２１  フレーム
２２  ホッパ装置
２３  補助貯留部
２４  主電源装置
２５  外部集中端子基板
３０  サブ制御基板
３２  メダル選別装置
３３  ガイド部材
３４  ガイド部材
４１  開口部
４３ａ，４３ｂ，４３ｃ  演出用照明部
４４ａ，４４ｂ  演出用放音部
４５  液晶表示ユニット
６１  払出口
６２ａ，６２ｂ  演出用放音部
７１  メダル（遊技媒体）投入部
７２，７３  ベットボタン
７４  スタートレバー
７５ａ，７５ｂ，７５ｃ  ストップボタン
８２  制御装置
８３  カードＲＷ（リーダライタ）装置
１００  リールユニット
１０１ａ，１０１ｂ，１０１ｃ  リール
１０４  回胴装置基板
１５０  電源装置基板
２０１  クレジット管理手段
２０２  内部抽選手段
２０２ａ  乱数発生装置
２０２ｂ  役抽選テーブル
２０２ｃ  内部抽選フラグ
２０３  リール回転制御手段
２０４  入賞判定手段
２０５  メダル払出制御手段
２０６  演出制御手段
３０１  フロント部材
３０２  中間部材
３２１  メダルセンサ
３６１  固定部材
６４０  ホルダ
６７０  半固定機能
６７１  可動部
６７２  付勢手段
６７３  固定部
８００  有価価値処理部
８０１  鍵穴
８０２  投入口
８０３  表示部
８０４  鍵穴
８０５  扉
８１０  メダル案内路
８２２  ホッパ装置（メダルホッパー）
８２２ａ  メダル補給部
８２２ｂ  払出機構
８２２ｃ  ホッパ装置払出口
８４１  メダル貸出スイッチ
８４２  カード返却スイッチ
８６０  払出口
８６５  可動式受け皿
８６５ａ  傾斜面部
８６５ｂ  案内リブ
８６５ｃ  取り付け回転軸
９０１  メダル（遊技媒体）
１０００  遊技システム
１００１  遊技島
【図１】
2007268070.tif 000003
【図２】
2007268070.tif 000004
【図３】
2007268070.tif 000005
【図４】
2007268070.tif 000006
【図５】
2007268070.tif 000007
【図６】
2007268070.tif 000008
【図７】
2007268070.tif 000009
【図８】
2007268070.tif 000010
【図９】
2007268070.tif 000011
【図１０】
2007268070.tif 000012
【図１１】
2007268070.tif 000013
【図１２】
2007268070.tif 000014
【図１３】
2007268070.tif 000015
【図１４】
2007268070.tif 000016
【図１５】
2007268070.tif 000017